(57)【要約】  本発明は、排便処理装置に係り、更に詳しくは、構造が簡単であることから、着用し易いとともに、使い勝手が良く、排便の回収及び処理が行い易い排便処理装置に関する。本発明に係る排便処理装置は、排出手段及び排泄物収容手段を備える。前記排出手段は、一方の端に排泄物流入口が形成され、前記一方の端が肛門に挿入されて排泄物を吸い込む排出管を備える。前記排泄物収容手段は、前記排出管の他方の端に結合されて前記排出管に吸い込まれた排泄物を収容する柔軟なパックと、前記パックを収容し、前記排出管の他方の端に結合されて前記パックに排泄物が収容可能なように内部の空気を外部に排出する空気排出口が形成されたケースと、前記空気排出口を介して前記ケースの内部の空気が排出可能なポンプと、を備える。本発明によれば、排出管及び排泄物収容手段を備える排便処理装置を提供することにより、排便処理装置の構造を単純化させることができ、着用し易くすることができる他、使い勝手をよくする。また、本発明によれば、排泄物収容手段が排出手段に着脱される排便処理装置を提供することにより、排泄物の処理が行い易い。更に、本発明によれば、排泄物が収容されるパックのみを取り替えて使える排便処理装置を提供することにより、コストを節減することができる。【選択図】  図１
2018515316.tif 000002
【特許請求の範囲】
【請求項１】
一方の端に排泄物流入口が形成され、前記一方の端が肛門に挿入されて排泄物を吸い込む排出管を備える排出手段と、
前記排出管の他方の端に結合されて前記排出管に吸い込まれた排泄物を収容する柔軟なパックと、前記パックを収容し、前記排出管の他方の端に結合されて前記パックに排泄物が収容可能なように内部の空気を外部に排出する空気排出口が形成されたケースと、前記空気排出口を介して前記ケースの内部の空気が排出可能なポンプと、を備える排泄物収容手段と、
を備えることを特徴とする排便処理装置。
【請求項２】
前記パックは、前記排出管の他方の端に着脱自在に結合されることを特徴とする請求項１に記載の排便処理装置。
【請求項３】
前記ケースは、前記パックが収容される胴体と、前記胴体を覆うように前記胴体に着脱自在に結合され、前記空気排出口が形成され、前記排出管に結合されたキャップと、を備えることを特徴とする請求項２に記載の排便処理装置。
【請求項４】
前記ケースは、下胴体と、一方の側が前記下胴体の一方の側と着脱自在に結合され、前記パックが収容可能なように前記下胴体を密閉する上胴体と、を備えることを特徴とする請求項２に記載の排便処理装置。
【請求項５】
前記ケースは、前記下胴体の他方の側が前記上胴体の他方の側と回転自在に結合されることを特徴とする請求項４に記載の排便処理装置。
【請求項６】
前記排出手段は、前記肛門に挿入された排出管が前記肛門から抜脱しないように前記肛門の内部において前記肛門に支持されるように前記排出管の外周面に突起された抜け止め突起を更に備えることを特徴とする請求項１乃至請求項５のうちのいずれか一項に記載の排便処理装置。
【請求項７】
前記排出手段は、前記排出管の他方の端を開閉するための排出弁を更に備えることを特徴とする請求項６に記載の排便処理装置。
【請求項８】
浣腸液が注入可能なように前記排出管を介して前記肛門に挿入される浣腸ノズルを更に備えることを特徴とする請求項７に記載の排便処理装置。
【発明の詳細な説明】
【技術分野】
【０００１】
本発明は、排便処理装置に係り、更に詳しくは、構造が簡単であることから、着用し易いとともに、使い勝手が良く、排便の回収及び処理が行い易い排便処理装置に関する。
【背景技術】
【０００２】
一般に、意識のない患者や、意識があったとしても挙動できない状態にある重症患者の場合、大小便を処理することは、本人は勿論、介護する人にとっても大変困難なことである。
【０００３】
大韓民国登録特許第１０−１０９３４４４号公報には、足の間（股間部）に着用されるおむつを通じて患者に設置されて排泄物を受けて処理するのに用いられる寝たきり患者用自動排泄物処理装置が開示されており、大韓民国登録特許第１０−１２９２８１２号公報には、人体の排泄部位の後方部を取り囲むように取り付けられてベッドの上で大便及び小便を自動的に処理する自動排便処理装置が開示されている。なお、大韓民国登録実用新案第２０−０４５３８１４号公報には、自動排便処理装置付きマットレスが開示されている。
【０００４】
従来の排便処理装置は、患者の足の間に着用するか、又は患者が着用して大小便を処理する装置が配設されたベッドなどを用いており、患者が着用するためには介護人の助けを必要とし、患者が動けば、周りに排泄物が漏れ出してマットレスや患者服などに付着してしまう。なお、やむを得ず患者が移動をする場合、嵩張って保管や持ち運びが困難であるという不都合がある。
【先行技術文献】
【特許文献】
【０００５】
【特許文献１】大韓民国登録特許第１０−１０９３４４４号公報
【特許文献２】大韓民国登録特許第１０−１２９２８１２号公報
【特許文献３】大韓民国登録実用新案第２０−０４５３８１４号公報
【発明の概要】
【発明が解決しようとする課題】
【０００６】
本発明は、上記の問題を解消するためのものである。本発明は、構造が簡単であることから、着用し易いとともに、使い勝手が良く、排便の回収及び処理が行い易い排便処理装置を提供することを目的とする。
【課題を解決するための手段】
【０００７】
本発明に係る排便処理装置は、排出手段及び排泄物収容手段を備える。前記排出手段は、一方の端に排泄物流入口が形成され、前記一方の端が肛門に挿入されて排泄物を吸い込む排出管を備える。前記排泄物収容手段は、前記排出管の他方の端に結合されて前記排出管に吸い込まれた排泄物を収容する柔軟なパックと、前記パックを収容し、前記排出管の他方の端に結合されて前記パックに排泄物が収容可能なように内部の空気を外部に排出する空気排出口が形成されたケースと、前記空気排出口を介して前記ケースの内部の空気が排出可能なポンプと、を備える。
【０００８】
また、上記の排便処理装置において、前記排出管の他方の端に着脱自在に結合されることが好ましい。
【０００９】
更に、上記の排便処理装置において、前記ケースは、前記パックが収容される胴体と、前記胴体を覆うように前記胴体に着脱自在に結合され、前記空気排出口が形成され、前記排出管に結合されたキャップと、を備えることが好ましい。
【００１０】
更にまた、上記の排便処理装置において、前記ケースは、下胴体と、一方の側が前記下胴体の一方の側と着脱自在に結合され、前記パックが収容可能なように前記下胴体を密閉する上胴体と、を備えることが好ましい。
【００１１】
更にまた、上記の排便処理装置において、前記ケースは、前記下胴体の他方の側が前記上胴体の他方の側と回転自在に結合されることが好ましい。
【００１２】
更にまた、上記の排便処理装置において、前記排出手段は、前記肛門に挿入された排出管が前記肛門から抜脱しないように前記肛門の内部において前記肛門に支持されるように前記排出管の外周面に突起された抜け止め突起を更に備えることが好ましい。
【００１３】
更にまた、上記の排便処理装置において、前記排出手段は、前記排出管の他方の端を開閉するための排出弁を更に備えることが好ましい。
【００１４】
これらに加えて、上記の排便処理装置において、浣腸液が注入可能なように前記排出管を介して前記肛門に挿入される浣腸ノズルを更に備えることが好ましい。
【発明の効果】
【００１５】
本発明によれば、 排出管及び排泄物収容手段を備える排便処理装置を提供することにより、排便処理装置の構造を単純化させることができ、着用し易くすることができる他、使い勝手をよくする。
【００１６】
また、本発明によれば、排泄物収容手段が排出手段に着脱される排便処理装置を提供することにより、排泄物の処理が行い易い。
【００１７】
更に、本発明によれば、排泄物が収容されるパックのみを取り替えて使える排便処理装置を提供することにより、コストを節減することができる。
【図面の簡単な説明】
【００１８】
【図１】本発明に係る排便処理装置の一実施形態の概念図。
【図２】図１に示す一実施形態のケースの胴体を取り外した後の概念図。
【図３】図１に示す一実施形態の排泄物収容手段の概念図。
【図４】本発明に係る排便処理装置の他の実施形態の概念図。
【図５】図４に示す実施形態の排泄物収容手段の概念図。
【図６】本発明に係る排便処理装置の更に他の実施形態の概念図。
【発明を実施するための形態】
【００１９】
図１から図３に基づいて、本発明に係る排便処理装置の一実施形態について説明する。
本発明に係る排便処理装置は、排出手段１０と、排泄物収容手段２０及び浣腸ノズル４０を備える。
【００２０】
排出手段１０は、排出管１１と、抜け止め突起１３及び排出弁１５を備える。
排出管１１は、一方の端３が肛門に挿入されて排泄物を吸い込む役割を果たす。このために、排出管１１の一方の端３は、肛門に挿入され易いように折り曲げられ、排泄物が吸い込まれる排泄物流入口１２が形成される。排便に際して、排泄物は、排泄物流入口１２を介して排出管１１に吸い込まれる。
【００２１】
抜け止め突起１３は、肛門に挿入された排出管１１が肛門から抜脱しないように肛門の内部において肛門に支持可能なように排出管１１の外周面に突起される。
【００２２】
排出弁１５は、排出管１１を開閉する役割を果たす。
排泄物収容手段２０は、パック２１と、ケース２３及びポンプ３５を備える。
パック２１は、排出管１１の他方の端に着脱自在に結合されて排出管１１に吸い込まれた排泄物を収容し、柔軟なパック１１として形成される。柔軟なパック１１として形成される場合、内部に収容物を収容しないときには体積を低減し、折り畳み可能であるので保管し易い。本実施形態においては、排出管１１に着脱自在に結合されて排便が終われば排出管１１から取り外して排泄物が収容されたパック２１を手軽に処理することができる。
【００２３】
ケース２３は、排出管１１に吸い込まれた排泄物を収容するパック２１が収容可能なように排出管１１の他方の端に着脱自在に結合される。このために、胴体２４及びキャップ２５を備える。
胴体２４は、排泄物を収容するパック２１を収容する。
【００２４】
キャップ２５は、パック２１に排泄物が収容可能なようにケース２３の内部の空気を外部に排出する空気排出口２６及び中心部に貫通された貫通孔２７を形成する。また、円周部に沿って片面５に突出した胴体結合部２８を備える。貫通孔２７は、排出管１１が胴体２４に収容されたパック２１と結合可能なように挿入されるように貫通されて排出管１１と結合される。胴体結合部２８は、胴体２４と螺合する。
【００２５】
ポンプ３５は、キャップ２５に形成された空気排出口２６に取り付けられてケース２３の内部の空気を排出する。ポンプ３５でケース２３の内部の空気を外部に排出すれば、ケース２３の内部は負圧となって排泄物をパック２１に導くことができて排便活動を促すことができる。
【００２６】
浣腸ノズル４０は、浣腸液が注入可能なように排出管１１を介して肛門に挿入される。浣腸液は、治療のために、又は患者が自ら排便活動ができないときに用いられる
【００２７】
本実施形態の場合、排出管１１が肛門に挿入されれば、抜け止め突起１３が肛門の内部において肛門に支持されて排出管１１が肛門から抜脱しないようにする。排便に際して、排泄物は、排泄物流入口１２を介して排出管１１に吸い込まれ、排出弁１５が排出管１１を開いて排出管１１の他方の端に結合されたパック２１に排泄物が収容可能なようにする。このとき、空気排出口２６に取り付けられたポンプ３５を用いて、ケース２３の内部の空気を外部に排出すれば、ケース２３の内部は負圧になって排泄物がパック２１に収容され易く、排便活動を促すことができる。
【００２８】
また、パック２１が排出管１１に着脱自在に結合されるので、排便が終われば排出管１１から取り外して排泄物が収容されたパック２１のみを取り外すことができる。このとき、排出弁１５を閉じて排泄物が排出管１１の外部に流出されることを防ぎ、排便に際して新たなパック２１に取り替えて使えるので、きれいに利用可能で、取り替えにかかるコストを節減することができる。
【００２９】
更に、治療のために、又は患者が自ら排便活動ができないときには、排出管１１を肛門に挿入した後、排出管１１を介して浣腸ノズル４０を挿入して浣腸液を注入する。浣腸ノズル４０に浣腸液が注入されれば、排便活動ができて排便することになる。このとき、排出弁１５を開いてパック２１に排泄物が収容されるようにする。浣腸液を注入した後に排出管１１を肛門に挿入する場合、肛門に与えられる力により排出管１１が肛門に挿入される前に排便が始まる虞があるため、排出管１１を肛門に挿入した後に浣腸ノズル４０を介して浣腸液を注入することが好ましい。
【００３０】
図４及び図５は、本発明に係る排便処理装置の他の実施形態を示す図である。図４及び図５に基づいて、本発明に係る排便処理装置の他の実施形態について説明する。
【００３１】
本実施形態の場合、排泄物収容手段２０のパック２１は、排出管１１の他方の端に結合されて排出管１１と一体になるように形成される。このため、排便が終われば、排出管１１とともに排泄物が収容されたパック２１を取り外すことなく、直ちに処理することができる。なお、排出管１１及びパック２１を分離した後に排出管１１を洗浄しなければならないという煩雑さを減らすことができる。
【００３２】
ケース２３は、パック２１を収容し、一方の端２９にパック２１と結合された排出管１１が固定されるように排出管１１と嵌合する固定溝３０が形成され、他方の端に空気排出口２６が形成される。このために、ケース２３は、下胴体３３及び上胴体３５により構成される。
【００３３】
下胴体３３及び上胴体３５は、分離自在に組み合わせられ、排出管１１を挿入した後に組み合わせられれば、その内部が密閉される。本実施形態の場合、ケース２３が下胴体３３及び上胴体３５に分離されるので、パック２１を収容し且つ取り外し易い。残りの構成要素は、図１に示す実施形態と同様であるため、これらについての詳細な説明は省略する。
【００３４】
図６は、本発明に係る排便処理装置の更に他の実施形態を示す図である。図６に基づいて、本発明に係る排便処理装置の更に他の実施形態について説明する。
図６に示す実施形態の場合、下胴体３３及び上胴体３５は、下胴体３３の一方の側３４及び上胴体３５の一方の側３６が着脱自在に結合され、下胴体３３の他方の側及び上胴体３５の他方の側が回転自在に結合される。つまり、上胴体３５の他方の側及び下胴体３３の他方の側が蝶合して上胴体３５の一方の側３６及び下胴体３３の一方の側３４を着脱してパック２１をケース２３に収容したり取り外したりすることができる。
【符号の説明】
【００３５】
３  一方の端  
７  片面
１０  排出手段
１１  排出管
１２  排泄物流入口
１３  抜け止め突起
１５  排出弁
２０  排泄物収容手段
２１  パック
２３  ケース
２４  胴体
２５  キャップ
２６  空気排出口
２７  貫通孔
２８  胴体結合部
２９  一方の端
３０  固定溝
３３  下胴体
３４  一方の側
３５  上胴体
３６  一方の側
３９  ポンプ
４０  浣腸ノズル
【図１】
2018515316.tif 000003
【図２】
2018515316.tif 000004
【図３】
2018515316.tif 000005
【図４】
2018515316.tif 000006
【図５】
2018515316.tif 000007
【図６】
2018515316.tif 000008
【国際調査報告】
2018515316.tif 000009
2018515316.tif 000010
2018515316.tif 000011
2018515316.tif 000012